(57)【要約】【課題】巻取軸からの帯状体の取り外し作業の容易化及び取り外した帯状体のコンパクト化を図る。【解決手段】洗浄布１１１を巻き付けられた巻取軸１１３を回転可能に保持する取付軸３ａ，３ｂと、巻取軸１１３に巻き取られている洗浄布１１１を巻き取る巻取手段と、巻取手段を着脱可能に支持すると共に回転させる支持軸６ａ，６ｂとを備え、前記巻取手段が、洗浄布１１１を巻き取る複数の巻取棒１１ａ，１１ｂと、支持軸６ａに着脱可能に支持されて巻取棒１１ａ，１１ｂの一方の端部を着脱可能に保持する支持ブロック１５と、支持軸６ｂに着脱可能に支持されて巻取棒１１ａ，１１ｂの他方の端部を支持する支持プレート１０とを備えて巻取装置を構成した。【選択図】        図１
2005067756.tif 000002
【特許請求の範囲】
【請求項１】
帯状体を巻き付けられた巻取軸を回転可能に保持する巻取軸保持手段と、
前記巻取軸に巻き取られている前記帯状体を巻き取る巻取手段と、
前記巻取手段を着脱可能に支持すると共に回転させる回転支持手段と
を備え、
前記巻取手段が、
前記帯状体を巻き取る複数の巻取棒と、
前記回転支持手段に着脱可能に支持されて前記巻取棒の一方の端部を着脱可能に保持する第一の支持部材と、
前記回転支持手段に着脱可能に支持されて前記巻取棒の他方の端部を支持する第二の支持部材と
を備えている
ことを特徴とする巻取装置。
【請求項２】
請求項１において、
前記巻取手段の前記第一の支持部材が、
前記巻取棒の端部をそれぞれ嵌合保持する支持孔を複数有すると共に、
当該支持孔を軸方向に沿って分割できるように複数の巻取棒支持部材からなり、
これら巻取棒支持部材を一体的に保持する連結手段を備えている
ことを特徴とする巻取装置。
【請求項３】
請求項１において、
前記巻取手段の前記第二の支持部材が、前記巻取棒の他方の端部を揺動可能に保持する
ことを特徴とする巻取装置。
【請求項４】
請求項３において、
前記巻取手段の前記第二の支持部材が、
前記巻取棒の端部をそれぞれ遊嵌保持する支持孔を複数有すると共に、
当該巻取棒の軸方向への移動を規制する規制手段を備えている
ことを特徴とする巻取装置。
【請求項５】
請求項１において、
少なくとも一つの前記巻取棒の他方の端部が、他の前記巻取棒の他方の端部に接近可能となるように前記第二の支持部材に支持されている
ことを特徴とする巻取装置。
【請求項６】
請求項５において、
少なくとも一つの前記巻取棒の他方の端部が揺動可能に支持されている
ことを特徴とする巻取装置。
【請求項７】
請求項１において、
前記回転支持手段が、
前記巻取手段の前記第一の支持部材と前記第二の支持部材とを接近させる方向へ付勢する付勢手段を備えている
ことを特徴とする巻取装置。
【請求項８】
請求項１において、
前記回転支持手段と前記第一の支持部材及び前記第二の支持部材とを着脱可能に係合させる係合手段を備えている
ことを特徴とする巻取装置。
【発明の詳細な説明】
【０００１】
【発明の属する技術分野】
本発明は、帯状体を巻き取る巻取装置に関し、特に、印刷機において、インキ等の溶剤で汚れた各種胴や各種ローラ等の各種シリンダを拭いて巻取軸に巻き取った洗浄装置の帯状の洗浄布を当該巻取軸から取り外す場合に利用すると有効なものである。
【０００２】
【従来の技術】
印刷機において、例えば、印刷終了後、ゴム胴等に付着残存しているインキ等の溶剤を除去する場合には、図９に示すように、ゴム胴１０１に対して洗浄装置１１０を対向配置し、パッド１１４をゴム胴１０１に押圧して帯状の洗浄布１１１をゴム胴１０１に接触させ、洗浄布１１１に洗浄液を吹き付けながら巻取軸１１３を回転させて、保持軸１１２から洗浄布１１１を繰り出すと共に、ゴム胴１０１を回転させることにより、ゴム胴１０１の周面に付着残存しているインキ等を、洗浄布１１１を更新しながら拭き取ってゴム胴１０１を洗浄する（例えば、下記特許文献１等参照）。
【０００３】
このように洗浄処理して、保持軸１１２に保持されている洗浄布１１１が巻取軸１１３にほとんど巻き取られたら、洗浄装置１１０から保持軸１１２及び巻取軸１１３を取り外し、新たな洗浄布１１１を保持している保持軸１１２及び新たな巻取軸１１３を洗浄装置１１０に取り付ける一方、取り外した巻取軸１１３に巻き取られている使用済みの洗浄布１１１を当該巻取軸１１３から取り外して、当該巻取軸１１３を再利用すると共に、取り外した洗浄布１１１を廃棄処分するようにしている。
【０００４】
【特許文献１】
実開平５−６０８４３号公報
【０００５】
【発明が解決しようとする課題】
前述したような洗浄装置１１０の前記巻取軸１１３においては、外周面に凹凸状の溝等が形成され、洗浄布１１１を確実に巻き取ることができるようにしていることから、巻き取った使用済みの洗浄布１１１を軸方向に抜き取ることが非常に難しく、巻き取った使用済みの洗浄布１１１を巻取方向と逆方向に引き出して取り外さなければならなかった。このため、取り外し作業に要する労力が多大であると共に、巻取軸１１３から取り外した使用済みの洗浄布１１１が非常に嵩張り、保管に多大なスペースを要してしまっていた。
【０００６】
【課題を解決するための手段】
前述した課題を解決するための、本発明は、帯状体を巻き付けられた巻取軸を回転可能に保持する巻取軸保持手段と、前記巻取軸に巻き取られている前記帯状体を巻き取る巻取手段と、前記巻取手段を着脱可能に支持すると共に回転させる回転支持手段とを備え、前記巻取手段が、前記帯状体を巻き取る複数の巻取棒と、前記回転支持手段に着脱可能に支持されて前記巻取棒の一方の端部を着脱可能に保持する第一の支持部材と、前記回転支持手段に着脱可能に支持されて前記巻取棒の他方の端部を支持する第二の支持部材とを備えていることを特徴とする巻取装置である。
【０００７】
また、前記巻取手段の前記第一の支持部材が、前記巻取棒の端部をそれぞれ嵌合保持する支持孔を複数有すると共に、当該支持孔を軸方向に沿って分割できるように複数の巻取棒支持部材からなり、これら巻取棒支持部材を一体的に保持する連結手段を備えていることを特徴とする巻取装置である。
【０００８】
また、前記巻取手段の前記第二の支持部材が、前記巻取棒の他方の端部を揺動可能に保持することを特徴とする巻取装置である。
【０００９】
また、前記巻取手段の前記第二の支持部材が、前記巻取棒の端部をそれぞれ遊嵌保持する支持孔を複数有すると共に、当該巻取棒の軸方向への移動を規制する規制手段を備えていることを特徴とする巻取装置である。
【００１０】
また、少なくとも一つの前記巻取棒の他方の端部が、他の前記巻取棒の他方の端部に接近可能となるように前記第二の支持部材に支持されていることを特徴とする巻取装置である。
【００１１】
また、少なくとも一つの前記巻取棒の他方の端部が揺動可能に支持されていることを特徴とする巻取装置である。
【００１２】
また、前記回転支持手段が、前記巻取手段の前記第一の支持部材と前記第二の支持部材とを接近させる方向へ付勢する付勢手段を備えていることを特徴とする巻取装置である。
【００１３】
また、前記回転支持手段と前記第一の支持部材及び前記第二の支持部材とを着脱可能に係合させる係合手段を備えていることを特徴とする巻取装置である。
【００１４】
【発明の実施の形態】
本発明に係る巻取装置の実施の形態を図１〜７を用いて説明する。図１は、巻取装置の正面図、図２は、図１の矢線ＩＩ方向から見た図、図３は、図１の矢線  ＩＩＩ方向から見た図、図４は、図１の矢線ＩＶ方向から見た図、図５は、図１の矢線Ｖ部の抽出拡大図、図６は、図４のＶＩ−ＶＩ線断面矢線視図、図７は、図４のＶＩＩ−ＶＩＩ線断面矢線視図である。
【００１５】
図１〜３に示すように、ベース１上に立設された一対のフレームプレート２ａ，２ｂの高さ方向中程には、一対の取付軸３ａ，３ｂが回転可能にそれぞれ支持されている。一方のフレームプレート２ａに設けられた取付軸３ａは、軸方向に沿って摺動移動できると共に、両端側にフランジ４ａ，４ｂが設けられている。このフレームプレート２ａの他方のフレームプレート２ｂとの対向面の上記取付軸３ａの支持部分には、当該取付軸３ａを摺動移動可能に貫通させるフランジ４ｃが設けられている。上記取付軸３ａの先端側のフランジ４ａと上記フランジ４ｃとの間には、圧縮コイルばね５が介在しており、当該取付軸３ａは、対向する他方の取付軸３ｂ側へ向けて付勢されるようになっている。
【００１６】
前記フレームプレート２ａ，２ｂの上端寄りには、一対の支持軸６ａ，６ｂが回転可能にそれぞれ設けられている。図１，２，４，５に示すように、他方のフレームプレート２ｂに設けられた支持軸６ｂは、軸方向に沿って摺動移動できると共に、両端側にフランジ７ａ，７ｂが設けられている。このフレームプレート２ｂの前記一方のフレームプレート２ａとの対向面の上記支持軸６ｂの支持部分には、当該支持軸６ｂを摺動移動可能に貫通させるフランジ７ｃが設けられている。上記支持軸６ｂの先端側のフランジ７ａと上記フランジ７ｃとの間には、付勢手段である圧縮コイルばね８が介在しており、当該支持軸６ｂは、対向する一方の支持軸６ａ側へ向けて付勢されるようになっている。
【００１７】
前記支持軸６ｂの先端の軸芯上には、ボルト９が頭部を突出させるようにして螺合している。この支持軸６ｂの先端には、第二の支持部材である支持プレート１０が当接しており、当該支持プレート１０は、当該支持軸６ｂとの当接面側に形成された嵌合孔１０ａに前記ボルト９の頭部が嵌合することにより、当該支持軸６ｂに着脱可能に支持されるようになっている。
【００１８】
前記支持プレート１０の前記支持軸６ａとの対向面側には、支持孔１０ｂが複数（本実施の形態では２本）形成されている。この支持プレート１０の前記支持孔１０ｂには、巻取棒１１ａ，１１ｂの端部（他方）がそれぞれ遊嵌している。また、支持プレート１０には、上記巻取棒１１ａ，１１ｂの軸方向への移動を規制する規制手段であるホローセット１２ａ，１２ｂが設けられている。つまり、支持プレート１０は、巻取棒１１ａ，１１ｂの上記端部（他方）を揺動可能に支持しているのである。
【００１９】
他方、図１，３，４，６，７に示すように、前記支持軸６ａの基端側には、ハンドルレバー１３が取り付けられており、当該ハンドルレバー１３を回転させることにより、当該支持軸６ａを回転させることができるようになっている。この支持軸６ａの先端には、複数（本実施の形態では２つ）のボルト１４ａ，１４ｂが頭部を突出させるようにして螺合している。この支持軸６ａの先端には、第一の支持部材である支持ブロック１５が当接しており、当該支持ブロック１５は、当該支持軸６ａとの当接面側に形成された嵌合孔１５ａに前記ボルト１４ａ，１４ｂの頭部がそれぞれ嵌合することにより、当該支持軸６ａに着脱可能に支持されると共に、ハンドルレバー１３の回転と一体的になって回転することができるようになっている。
【００２０】
前記支持ブロック１５の前記支持軸６ｂとの対向面側には、支持孔１５ｂが複数（本実施の形態では２本）形成されている。この支持ブロック１５の前記支持孔１５ｂには、前記巻取棒１１ａ，１１ｂの残りの端部（一方）がそれぞれ嵌合保持されている。また、この支持ブロック１５は、前記支持孔１５ｂを軸方向に沿って分割できるように複数（本実施の形態では２つ）の巻取棒支持部材１５α，１５βからなっており、これら巻取棒支持部材１５α，１５βが連結手段である止めねじ１５ｃにより一体的に保持されるようになっている。つまり、支持ブロック１５は、巻取棒１１ａ，１１ｂの上記端部（一方）を着脱可能に支持しているのである。
【００２１】
なお、本実施の形態では、取付軸３ａ，３ｂ、フランジ４ａ，４ｂ、圧縮コイルばね５等により巻取軸保持手段を構成し、支持軸６ａ，６ｂ、フランジ７ａ，７ｂ、圧縮コイルばね８、ボルト９，１４ａ，１４ｂ、ハンドルレバー１３等により回転支持手段を構成し、支持プレート１０、巻取棒１１ａ，１１ｂ、ホローセット１２ａ，１２ｂ、支持ブロック１５、止めねじ１５ｃ等により巻取手段を構成し、ボルト９，１４ａ，１４ｂ、前記嵌合孔１０ａ，１５ａ等により係合手段を構成している。
【００２２】
このようにして構成された本実施の形態に係る巻取装置を用いて、例えば、印刷機のゴム胴等に付着残存しているインキ等を除去した洗浄装置の使用済みの帯状の洗浄布を巻き取る場合を次に説明する。
【００２３】
まず、使用済みの洗浄布１１１を巻き取った巻取軸１１３を前記洗浄装置から取り外し、一方の前記取付軸３ａを他方の取付軸３ｂから離反させる方向に移動して当該取付軸３ａ，３ｂの間隔を拡げた後、上記巻取軸１１３の一端を一方の前記取付軸３ａに同軸をなして嵌合し、当該巻取軸１１３の他端を他方の前記取付軸３ｂに同軸をなして嵌合させると、前記圧縮コイルばね５が取付軸３ａを他方の取付軸３ｂに接近させる方向に付勢するため、当該巻取軸１１３は、取付軸３ａ，３ｂに回転可能に支持される。
【００２４】
次に、前記巻取棒１１ａ，１１ｂを覆うように前記洗浄布１１１の露出した端部側を当該巻取棒１１ａ，１１ｂにかけ、前記ハンドルレバー１３を介して支持軸６ｂを回転させると、ボルト１４ａ，１４ｂを介して支持ブロック１５が回転し、前記巻取棒１１ａ，１１ｂが当該支持軸６ｂを中心にして公転するため、前記洗浄布１１１は、巻取軸１１３から当該巻取棒１１ａ，１１ｂに巻き取られる。
【００２５】
このようにして巻取軸１１３から巻取棒１１ａ，１１ｂに洗浄布１１１を巻き取ったら、巻取軸１１３を上述と逆の手順で取付軸３ａ，３ｂから取り外す一方、前記圧縮コイルばね８の付勢力に抗するように支持軸６ｂを支持軸６ａから離反させる方向に移動して当該支持軸６ａ，６ｂの間隔を拡げて、支持軸６ａのボルト１４ａ，１４ｂの頭部から支持ブロック１５の嵌合孔１５ａを抜き取ると共に、支持軸６ｂのボルト９の頭部から支持プレート１０の嵌合孔１０ａを抜きとることにより、巻取棒１１ａ，１１ｂに巻き取られた洗浄布１１１を支持プレート１０及び支持ブロック１５等と共に支持軸６ａ，６ｂ間から取り出す。
【００２６】
そして、支持ブロック１５の止めねじ１５ｃを緩めて前記支持孔１５ｂを軸方向に分割し、当該支持ブロック１５を巻取棒１１ａ，１１ｂの軸端から取り外すと、巻取棒１１ａ，１１ｂは、一方の端部が拘束状態から開放されると共に、他方の端部がホローセット１２ａ，１２ｂにより支持プレート１０に対する軸方向への移動を規制されながら当該支持プレート１０の支持孔１０ｂに対して遊嵌しているため、当該ホローセット１２ａ，１２ｂを中心にして揺動可能となる。
【００２７】
ここで、巻取棒１１ａ，１１ｂの開放された一方の軸端を接近させるように当該巻取棒１１ａ，１１ｂを揺動させると、当該巻取棒１１ａ，１１ｂに巻き取られた洗浄布１１１を当該巻取棒１１ａ，１１ｂの開放された一方の端部から容易に抜き出すことができ、当該洗浄布１１１を巻き取った状態のままで巻取棒１１ａ，１１ｂから取り外すことができる。
【００２８】
このようにして洗浄布１１１を巻取棒１１ａ，１１ｂから取り外したら、上述と逆の手順で、巻取棒１１ａ，１１ｂの一方の端部に支持ブロック１５を取り付け、支持プレート１０及び支持ブロック１５を支持軸６ａ，６ｂに取り付ける。
【００２９】
したがって、本実施の形態によれば、巻取軸１１３に巻き取った使用済みの洗浄布１１１を当該巻取軸１１３から容易に取り外すことができると共に、巻取軸１１３から取り外した使用済みの洗浄布１１１を巻いた状態で保持することができ、保管に要するスペースを大幅に削減することができる。
【００３０】
また、複数の巻取棒１１ａ，１１ｂを用いて洗浄布１１１を巻き取るようにしたので、洗浄布１１１を早く巻き取ることができる。
【００３１】
なお、本実施の形態では、ハンドルレバー１３により支持ブロック１５を回転させるようにしたが、これに代えて、例えば、モータにより支持ブロック１５を回転させるようにすることも可能である。
【００３２】
また、本実施の形態では、二本の巻取棒１１ａ，１１ｂの他端側を揺動可能に支持するようにしたが、少なくとも一つの巻取棒の他端側が揺動可能に支持されていれば、本実施の形態の場合と同様な作用効果を得ることができる。
【００３３】
また、本実施の形態では、巻取棒１１ａ，１１ｂの他端側を支持プレート１０の支持孔１０ｂに遊嵌してホローセット１２ａ，１２ｂを取り付けることにより当該巻取棒１１ａ，１１ｂを揺動可能に支持するようにしたが、他の実施の形態として、例えば、図８に示すように、ゴム等のような弾性材料からなる巻取棒２１ａ，２１ｂの他端側を支持プレート２０の支持孔２０ｂに嵌合してボルト２２ａ，２２ｂで固定し、当該巻取棒２１ａ，２１ｂを撓ませるように弾性変形させることにより、洗浄布１１１の取り外しを行うようにすることも可能である。
【００３４】
また、本実施の形態では、二本の巻取棒１１ａ，１１ｂで洗浄布１１１を巻き取るようにしたが、巻取棒を三本以上設けて洗浄布１１１を巻き取るようにすることも可能である。このとき、少なくとも一つの巻取棒の他端側が揺動可能に支持されていれば、本実施の形態の場合と同様な作用効果を得ることができる。
【００３５】
また、本実施の形態では、印刷機のゴム胴等に付着残存しているインキ等の溶剤を除去した洗浄装置の使用済みの帯状の洗浄布を巻き取る場合について説明したが、本発明は、これに限らず、帯状体を巻きつけられた巻取軸から帯状体を容易に取り外してコンパクトにまとめる場合であれば、本実施の形態での上述した説明と同様にして適用可能である。
【００３６】
【発明の効果】
本発明による巻取装置においては、例えば、印刷機のゴム胴等の胴やチルロール等のローラに付着残存しているインキ等の溶剤を除去した洗浄装置の使用済みの帯状の洗浄布を巻き取る場合に適用すれば、巻取軸に巻き取った使用済みの洗浄布を当該巻取軸から容易に取り外すことができると共に、巻取軸から取り外した使用済みの洗浄布を巻いた状態で保持することができ、保管に要するスペースを大幅に削減することができる。
【図面の簡単な説明】
【図１】本発明に係る巻取装置の実施の形態の正面図である。
【図２】図１の矢線ＩＩ方向から見た図である。
【図３】図１の矢線  ＩＩＩ方向から見た図である。
【図４】図１の矢線ＩＶ方向から見た図である。
【図５】図１の矢線Ｖ部の抽出拡大図である。
【図６】図４のＶＩ−ＶＩ線断面矢線視図である。
【図７】図４のＶＩＩ−ＶＩＩ線断面矢線視図である。
【図８】本発明に係る巻取装置の他の実施の形態の要部の概略構成図である。
【図９】印刷機の洗浄装置の概略構成図である。
【符号の説明】
１  ベース
２ａ，２ｂ  フレームプレート
３ａ，３ｂ  取付軸
４ａ，４ｂ，４ｃ  フランジ
５  圧縮コイルばね
６ａ，６ｂ  支持軸
７ａ，７ｂ，７ｃ  フランジ
８  圧縮コイルばね
９  ボルト
１０  支持プレート
１０ａ  嵌合孔
１０ｂ  支持孔
１１ａ，１１ｂ  巻取棒
１２ａ，１２ｂ  ホローセット
１３  ハンドルレバー
１４ａ，１４ｂ  ボルト
１５  支持ブロック
１５α，１５β  巻取棒支持部材
１５ａ  嵌合孔
１５ｂ  支持孔
１５ｃ  止めねじ
２０  支持プレート
２０ｂ  支持孔
２１ａ，２１ｂ  巻取棒
２２ａ，２２ｂ  ボルト
【図１】
2005067756.tif 000003
【図２】
2005067756.tif 000004
【図３】
2005067756.tif 000005
【図４】
2005067756.tif 000006
【図５】
2005067756.tif 000007
【図６】
2005067756.tif 000008
【図７】
2005067756.tif 000009
【図８】
2005067756.tif 000010
【図９】
2005067756.tif 000011